(57)【要約】  重畳ステアリングシステムを備えた車両のステアリング方法であって、ドライバーによって与えられるステアリング角及び追加の角度（付加ステアリング角）を算出するとともに、その結果として得られるステアリング角を設定するために、この与えられたステアリング角に対して、重畳アクチュエーターを用いて、特に電動モーターを用いて、かつ重畳伝動装置を介して、別の値、特に走行動特性に関する値に応じて、この付加ステアリング角を重畳することが可能である方法において、このステアリングシステムの結果として得られるステアリング角にもとづき、並びにこの付加ステアリング角に直接的に依存する、或いはこの付加ステアリング角を表す値にもとづき、この重畳伝動装置の伝動装置入力角【数１】2007500098.tif 000020（５３）に関する値を算出することを特徴とする方法。
2007500098.tif 000002
【特許請求の範囲】
【請求項１】
重畳ステアリングシステムを備えた車両のステアリング方法であって、ドライバーによって与えられるステアリング角及び追加の角度（付加ステアリング角）を算出するとともに、その結果として得られるステアリング角を設定するために、この与えられたステアリング角に対して、重畳アクチュエーターを用いて、特に電動モーターを用いて、かつ重畳伝動装置を介して、別の値、特に走行動特性に関する値に応じて、この付加ステアリング角を重畳することが可能である方法において、
このステアリングシステムの結果として得られるステアリング角にもとづき、並びにこの付加ステアリング角に直接的に依存する、或いはこの付加ステアリング角を表す値にもとづき、この重畳伝動装置の伝動装置入力角
【数１】
2007500098.tif 000017
（５３）に関する値を算出することを特徴とする方法。
【請求項２】
当該の伝動装置入力角
【数２】
2007500098.tif 000018
（５３）に関する値と可変ステアリング伝達装置によって得られる増幅率
【数３】
2007500098.tif 000019
とを乗算することによって、当該のステアリング角制御器のステアリング動作に対するドライバー要求δCMD,DRV を生成することを特徴とする請求項１に記載の方法。
【請求項３】
ラックピニオン式舵取り装置のピニオン角δR ＝δSumme （１５）に該当する、ステアリングシステムの結果として得られるステアリング角を生成することを特徴とする請求項１又は２に記載の方法。
【請求項４】
当該の付加ステアリング角に直接的に依存する、或いは付加ステアリング角を表す値が、重畳アクチュエーターの状態又は位置を示すものであることを特徴とする請求項１から３までのいずれか一つに記載の方法。
【請求項５】
当該の重畳アクチュエーターの状態又は位置を示す値が、重畳電動モーターの角度（モーター角φMot （３５））であることを特徴とする請求項４に記載の方法。
【請求項６】
当該の方法が、重畳アクチュエーターとしての電動モーターの電流又はモータートルク制御器を縦続接続したステアリング角制御器を使用し、その際ステアリング角の実際値とステアリング角の目標値との比較にもとづき、目標の電流又は目標のモータートルクを生成し、この目標の電流又は目標のモータートルクにもとづき、電動モーターが、当該の付加ステアリング角に対応したステアリングシステムの設定を行うことを特徴とする請求項１から５までのいずれか一つに記載の方法。
【請求項７】
当該のドライバーのステアリング要求を、固定的又は可変に設定可能な伝動装置の伝達率にもとづき生成するとともに、この伝動装置の伝達率を、その時点における走行状態、特に検出した車両縦速度とハンドル舵取り角の両方又は一方に応じて選定することと、このドライバーのステアリング要求にもとづき、ステアリング角の目標値を算出して、ステアリング制御器に供給することを特徴とする請求項１から６までのいずれか一つに記載の方法。
【請求項８】
ドライバーによるステアリング角をステアリング伝動装置に直接作用させる場合の伝達率と組み合わせた、当該のドライバーのステアリング要求を、第二の伝達率と組み合わせた付加ステアリング角に追加して重畳させることと、重畳したステアリング角を算出して、実際値として、ステアリング制御器に供給することを特徴とする請求項１から７までのいずれか一つに記載の方法。
【請求項９】
走行動特性制御器（ＥＳＰシステム）が、当該のステアリング制御器と協働することと、走行動特性制御器が、安定化のための介入が必要であることを検知した場合に、走行動特性にもとづく追加のステアリング角を算出して、ドライバーのステアリング要求に追加して重畳することを特徴とする請求項１から８までのいずれか一つに記載の方法。
【請求項１０】
利用可能なモータートルクを低下させることなくモーター回転数を高めるために、当該の電動モーターを、別の値にもとづき、弱め界磁電流によって更に制御することを特徴とする請求項１から９までのいずれか一つに記載の方法。
【請求項１１】
全く直接的なステアリング伝達と大きな目標速度の両方又は一方が要求又は必要とされている場合に、当該の電動モーターを、弱め界磁電流によって更に制御することを特徴とする請求項１０に記載の方法。
【請求項１２】
当該の電動モーターの目標速度の事前制御を行うことと、この電動モーターの所望のモーター速度に応じて、この事前制御を重み付けすることを特徴とする請求項１から１１までのいずれか一つに記載の方法。
【請求項１３】
モーター回転数の設定値とモーター回転数の目標設定値とから算出する電動モーターの目標速度の事前制御を行い、その際このモーター回転数の目標設定値を、ステアリング角の目標値とステアリング角の算出した実際値との比較にもとづき算出するとともに、このモーター回転数の設定値を、ステアリング角の目標値の時間に関する微分から、ドライバーのステアリング要求及び要求されているＥＳＰ補正角に応じて得られる信号成分にもとづき、別々に算出することを特徴とする請求項１２に記載の方法。
【請求項１４】
電動モーターの目標速度の事前制御を行うとともに、動特性及び快適性に関する要求にもとづき、ドライバーのステアリング要求及び要求されているＥＳＰ補正角に応じて得られる信号成分を、互いに別々に重み付けすることを特徴とする請求項１から１３までのいずれか一つに記載の方法。
【請求項１５】
請求項１から１４までのいずれか一つに記載の方法を実施するために適していることを特徴とするコンピュータプログラム。
【請求項１６】
ステアリングコラムに配置されたハンドルと、ステアリング伝動装置と、ステアリングコラムに配置された回転角センサーと、重畳伝動装置を介してステアリングコラムに作用する重畳モーターと、ステアリング制御された車輪の位置を測定するためのセンサーと、ステアリング装置の制御器とを有する、車両用ステアリング装置において、
このステアリング装置の制御器は、請求項１から１４までのいずれか一つに記載の方法を実施するための手段を有することを特徴とするステアリング装置。
【発明の詳細な説明】
【技術分野】
【０００１】
この発明は、ドライバーによって与えられるステアリング角及び追加の角度（付加ステアリング角）を算出するとともに、この与えられたステアリング角に対して、電動モーターを用いて、別の値、特に走行動特性に関する値に応じて、この付加ステアリング角を重畳することが可能である、重畳ステアリングシステムを用いた車両のステアリング方法に関する。
【０００２】
また、この発明は、コンピュータプログラム及びステアリングコラムに配置されたハンドルと、ステアリング伝動装置と、ステアリングコラムに配置された回転角センサーと、重畳伝動装置を介してステアリングコラムに作用する重畳モーターと、電動ステアリングアクチュエーターと、ステアリング制御された車輪の位置を測定するためのセンサーと、ステアリング制御器とを有する、車両用のステアリング装置に関する。
【背景技術】
【０００３】
現代の自動車、特に乗用車は、通常ハンドルをステアリング可能な車両の車輪と機械的に強制的に連結させる油圧式又は電気油圧式パワーステアリングを備えている。このパワーステアリングによる支援装置は、ステアリングメカニズムの中心領域にアクチュエーター、例えば油圧シリンダーを配置した形に構成されている。アクチュエーターで生成した力により、ハンドルの回転に応じてステアリングメカニズムの動作を支援している。こうすることによって、ステアリングプロセスにおけるドライバーのエネルギー消費が低減される。
【０００４】
重畳ステアリング装置が知られている。これらは、必要な際に、アクチュエーターによって、ドライバーによって与えられるステアリング角に追加のステアリング角（付加ステアリング角）を重畳することができることを特徴としている。通常、重畳伝動装置に作用するとともに、ドライバーに大きく依存せずに付加ステアリング角を設定する電気アクチュエーターが使用されている。
【０００５】
この付加ステアリング角は、電子制御器によって制御されるとともに、例えば、車両の安定性と敏捷性を向上させる役割を有する。特許文献１に記載されている通り、周知の制御コンセプトでは、重畳されるステアリング角のステアリング成分は、互いに独立して生成されている。
【特許文献１】ドイツ特許公開明細書第１９７５１１２５Ａ１号
【発明の開示】
【発明が解決しようとする課題】
【０００６】
この発明の課題は、安全かつ確実に動作する、重畳ステアリング装置を備えた車両のステアリング方法を提供することである。
【課題を解決するための手段】
【０００７】
この課題は、この発明にもとづき、重畳伝動装置の伝動装置入力角
【０００８】
【数１】
2007500098.tif 000003
【０００９】
に関する値を、ステアリングシステムの結果として得られるステアリング角にもとづき、かつ付加ステアリング角に直接的に依存するか、或いは付加ステアリング角を表す値にもとづき算出することによって解決される。
【００１０】
この発明では、ステアリング角制御器のステアリング動作に対するドライバーの要求δCMD,DRV を、伝動装置入力角
【００１１】
【数２】
2007500098.tif 000004
【００１２】
５３に関する値と、可変ステアリング伝達装置によって得られる増幅率
【００１３】
【数３】
2007500098.tif 000005
【００１４】
とを積算することによって生成するものと規定する。
【００１５】
この発明では、ステアリングシステムの結果として得られるステアリング角は、ラックピニオン式舵取り装置のピニオン角となる（δR ＝δSumme ）。
【００１６】
この発明による方法の有利な実施形態は、付加ステアリング角に直接的に依存するか、或いは付加ステアリング角を表す値が、重畳アクチュエーターの状態又は位置を示すことである。
【００１７】
この発明では、重畳アクチュエーターの状態又は位置を示す値が、重畳電動モーターの角度（モーター角φMot ）であるものと規定する。
【００１８】
この発明の別の実施形態では、この方法が、重畳アクチュエーターとしての電動モーターの電流又はモータートルク制御器を縦続接続したステアリング角制御器を使用し、その際ステアリング角の実際値とステアリング角の目標値との間の比較にもとづき、目標電流又は目標モータートルクを生成し、これらの目標の電流又は目標のモータートルクにもとづき、電動モーターが、付加ステアリング角に対応したステアリングシステムの設定を行うものと規定する。
【００１９】
この発明では、ドライバーのステアリング要求を、固定的又は可変に設定可能な伝動装置の伝達率にもとづき生成するとともに、この伝動装置の伝達率を、その時点における走行状態、特に検出した車両縦速度とハンドル舵取り角の両方又は一方に応じて選定するものと、並びにこのドライバーのステアリング要求にもとづき、ステアリング角の目標値を算出して、ステアリング制御器に供給するものと規定する。
【００２０】
この発明では、ドライバーによるステアリング角をステアリング伝動装置に直接作用させる場合の伝達率と組み合わせたドライバーのステアリング要求を、第二の伝達率と組み合わせた付加ステアリング角に追加して重畳させるものと、並びに重畳したステアリング角を算出して、実際値として、ステアリング制御器に供給するものと規定する。
【００２１】
この発明による方法の有利な実施形態は、走行動特性制御器（ＥＳＰシステム）が、ステアリング制御器と協働することと、走行動特性制御器が、安定化のための介入が必要であることを検知した場合に、走行動特性にもとづく追加のステアリング角を算出して、ドライバーのステアリング要求に追加して重畳することである。
【００２２】
この発明の別の実施形態では、利用可能なモータートルクを低下させることなくモーター回転数を高めるために、電動モーターを、別の値にもとづき、弱め界磁電流によって更に制御するものと規定する。
【００２３】
有利には、全く直接的なステアリング伝達と大きな目標速度の両方又は一方が要求又は必要とされている場合に、電動モーターを、弱め界磁電流によって更に制御する。
【００２４】
この発明の別の実施形態では、電動モーターの目標速度の事前制御を行うものと、並びにこの電動モーターの所望のモーター速度に応じて、この事前制御を重み付けするものと規定する。
【００２５】
この発明では、モーター回転数の設定値とモーター回転数の目標設定値とから算出する電動モーターの目標速度の事前制御を行い、その際このモーター回転数の目標設定値を、ステアリング角の目標値とステアリング角の算出した実際値との比較にもとづき算出するとともに、このモーター回転数の設定値を、ステアリング角の目標値の時間に関する微分から、ドライバーのステアリング要求及び要求されているＥＳＰ補正角に応じて得られる信号成分にもとづき別々に算出するものと規定する。
【００２６】
同様に、この発明では、電動モーターの目標速度の事前制御を行うとともに、動特性及び快適性に関する要求にもとづき、ドライバーのステアリング要求及び要求されているＥＳＰ補正角に応じて得られる信号成分を、互いに別々に重み付けするものと規定する。
【００２７】
この発明の課題は、この発明にもとづき、請求項１から１４までのいずれか一つに記載の方法を実施するのに適したコンピュータプログラムによって解決される。
【００２８】
また、この発明の課題は、ステアリングコラムに配置されたハンドルと、ステアリング伝動装置と、ステアリングコラムに配置された回転角センサーと、重畳伝動装置を介してステアリングコラムに作用する重畳モーターと、ステアリング制御された車輪の位置を測定するためのセンサーと、ステアリング装置の制御器とを有する、車両用ステアリング装置において、このステアリング装置の制御器が、この発明による前述した方法を実施するための手段を有することによって解決される。
【発明を実施するための最良の形態】
【００２９】
この発明による方法の実施例について、図面（図１〜図７）に図示するとともに、以下に記載する。
【００３０】
この発明による制御器を備えた重畳ステアリング装置（ＥＳＡＳ／電動ステアリング支援式ステアリング装置）の基本構造が、図１に模式的に図示されており、そこでは、電動モーターにより駆動される重畳伝動装置が、ステアリングバルブのねじり棒（トーションバー）とステアリン伝動装置又はラックピニオン式舵取り装置のピニオンとの間に配置されている。
【００３１】
この場合、重畳ステアリング装置２の重畳伝動装置１は、従来のパワーステアリング４のステアリングコラム３を分割した間に取り付けられている。モーター５を用いて、重畳伝動装置１は、前輪７に追加的な又は低減したステアリング角６を生成することができる（可変ステアリング伝達装置）。
【００３２】
この可変ステアリング伝達装置によって得られるステアリング角は、電動モーター５を制御する制御器８によって設定される。この制御器８には、回転角センサー９，１０からの信号が供給されており、このセンサーを用いて、ステアリングバルブ１４のねじり棒１３（トーションバー）によるステアリングコラム３の回転角δH １１と重畳伝動装置１による回転角、ここではステアリング伝動装置３１のピニオン３２の回転角δR １５を検出している。
【００３３】
この場合、ドライバーがハンドル２９により設定したハンドル角δH １１は、有利には、走行動特性制御器（ＥＳＰシステム）を備えた車両において、直列に組み込まれているハンドル角センサー９を用いて検出される。ハンドル角δH １１と重畳伝動装置１の入力角δT １２との間には、ステアリングバルブ１４のねじり棒（トーションバー）１３及びドライバーによって加えられるステアリングトルクの剛性に応じて、差分の角度が生じる。
【００３４】
ステアリング伝動装置３１のピニオン３２の回転角、「ピニオン角」δR １５に他に、第三のセンサー３３を用いて、モーター５のモーター角δMot ３４も検出する。ピニオン３３の回転角δR とモーター角δMot ３４を検出する際のセンサー１０，３３の精度と分解能に関する要求条件は、ハンドル角センサー９の場合よりも高い。
【００３５】
従来のパワーステアリング４に関する油圧は、ここでは駆動装置１７を介して車両の駆動モーター１８と連結されたポンプ１６によって生成される。有利には、これに代わって、電気的に制御されるモーター（電動モーター）によって、ポンプ１６を必要に応じて駆動するものと規定する。
【００３６】
ドライバーの力の支援は、油圧シリンダー１９によって行っており、このシリンダーは、二つの部屋２０，２１を有し、これらの部屋は、ステアリング装置のラック２３と連結された油圧ピストン２２によって区分されている。圧力制御のための油圧室２０，２１の吸入と排出用に、油圧パイプ２４，２５，２６，２７と圧力媒体貯蔵タンク２８が配備されている。
【００３７】
ステアリング装置の重畳機能では、ステアリング制御器８の所望の基本ステアリング機能（基本的にはステアリングの伝達）に対応して、ねじり棒１３と伝動装置１を介して伝達率ν1 でステアリング伝動装置３１に直接作用する、ドライバーによるステアリング角δH １１に、伝動装置３６を介して第二の伝達率ν2 ３７でステアリング伝動装置３１に作用する追加のステアリング角（モーター角φMot ）３５が重畳される。この重畳により、合算した角として、ステアリング伝動装置３１のピニオン３２の所定の回転角、即ち、「ピニオン角」δR １５が得られる。
【００３８】
図２は、ここで考察した重畳ステアリング装置に関するステアリング角制御器の制御コンセプト全体及びステアリング制御器８の上位の走行動特性制御システム３８とのやり取りの全体像を図示している。
【００３９】
走行動特性制御システム（ＥＳＰ）３８の所望の付加ステアリング角ΔδESP ３９の他に、走行動特性にもとづくステアリング角介入が有ることを示すＥＳＰ要求（ＥＳＰリクエストビット、ＥＳＰ−Ｒｅｑｕ）４０が伝送される。ステアリング制御器８は、走行動特性制御器３８に対して、ドライバーによるステアリング角１１と所望のステアリング伝達率
【００４０】
【数４】
2007500098.tif 000006
【００４１】
５２（図３参照）から得られるドライバー要求δCMD,DRV ４２と、合計ステアリング角と称される測定されたピニオン角δR １５と、ＥＳＰステアリング介入に関して利用可能な動力学的な余裕度ＤＲ（例えば、ＤＲ＿ｐｏｓ又はＤＲ＿ｎｅｇ）４３に関する情報とを伝送している。
【００４２】
走行動特性制御器３８には、ステアリング制御器８と同様に、車両速度４５，４６が、走行動特性制御器には、走行動特性値４７が、そしてステアリング制御器には、燃焼エンジンの回転数ＮEngine４４と重畳モーター５のモータートルクＭMot ４８とが、入力値として供給される。
【００４３】
車輪７が真っ直ぐであること示しており、追加のステアリングトルクを伝達しない「オープンセンター」タイプのステアリングの場合には、燃焼エンジンの回転数ＮEngine４４にもとづき、パワーステアリングによるステアリング支援が利用可能であるか否かを決定する。そのような状態ではない場合、重畳ステアリング装置は停止されたままであるか、或いは停止されて、ドライバーのステアリング伝動装置への直接的な支配だけが作用することとなる（伝達率ν1 ）。
【００４４】
ＥＳＡＳステアリング制御器８は、これらの入力値から、重畳モーター５に関する相応の制御信号６６を算出する。
【００４５】
図３には、走行動特性制御器の介入に関する制御コンセプトのブロック接続図が図示されている。
【００４６】
走行動特性制御器３８の走行動特性にもとづくステアリング介入は、付加ステアリング角ΔδESP ３９として反映され、この角度は、補正の形でシステムに設定される。この場合、ドライバーによるステアリング角１１と所望のステアリング伝達率ｉESASにもとづき、増幅率
【００４７】
【数５】
2007500098.tif 000007
【００４８】
５２を算出し、それから、ドライバー要求δCMD,DRV ４２が得られる。このドライバー要求は、走行動特性制御器３８から結果として得られる付加ステアリング角ΔδESP ３９に重畳される。それによって得られるステアリング角に関する目標値δR,CMD ４９は、重畳ステアリング装置用の制御回路５０に供給される。このようにして、結果として得られるステアリング角δR ＝δSumme １５が設定され、その際この結果として得られるステアリング角１５が、制御回路５０への入力値としてフィードバックされる。
【００４９】
この重畳により、検知した走行状態に対応して、走行挙動及び車両の動特性に積極的に影響を与えることができ、それによって、一方における走行安定性と車両の敏捷性の両方を向上させることができる。特に、走行動特性にもとづくステアリング介入を実現して、ドライバーのステアリング操作を支援するものである。
【００５０】
図４は、ステアリング角制御器の制御コンセプトの全体像を図示している。この場合、ドライバー要求を求めるために、先ずは重畳ステアリング装置のステアリング角制御器への伝動装置入力角
【００５１】
【数６】
2007500098.tif 000008
【００５２】
５３に関する値を、結果として得られるステアリング角δR ＝δSumme １５（ピニオン角）とモーター角φMot ３５にもとづき算出することが基本的なことである（図７とも比較）。
【００５３】
この場合、伝動装置入力角
【００５４】
【数７】
2007500098.tif 000009
【００５５】
５３の値は、重畳ステアリング装置に関する設計上確定する伝動装置の特性式５４にもとづき算出される（図７と比較）。
【００５６】
こうすることによって、ステアリング角制御器の目標値の一部としてのドライバー要求を、基本的により高い分解能で求めることができ、このことは、ステアリングのフィーリングに非常に有利な効果を示すものである。
【００５７】
重畳伝動装置の入力側において、前述した形で計算したステアリング角
【００５８】
【数８】
2007500098.tif 000010
【００５９】
５３を、可変ステアリング伝達装置６５によって得られる増幅率
【００６０】
【数９】
2007500098.tif 000011
【００６１】
５２と乗算５５する。その結果、ステアリング角制御器に対するドライバー要求δCMD,DRV ４２が得られる。
【００６２】
このようにして、従来直列に用いられていた（ＥＳＰシステムの）ハンドル角センサー９を用いて、重畳ステアリング装置を動作させることが可能となる。
【００６３】
走行動特性制御器３８から得られる付加ステアリング角ΔδESP ３９の値は、補間と増分制限５９によって、その結果として得られる補正された付加ステアリング角ΔδESP,IPO ６０に変換される。
【００６４】
増分制限の値は、制御技術的な観点にもとづき選定され、場合によっては、利用可能なアクチュエーター設定速度に対応して変更することができる。
【００６５】
ステアリング角制御器に対する、その結果として得られる目標値δR,CMD ４９は、付加ステアリング角ΔδESP,IPO ６０とドライバー要求を表すステアリング角δCMD,DRV ４２とを加算することによって得られる。
【００６６】
更に、補正した付加ステアリング角ΔδESP,IPO ６０にもとづき、ステアリング装置のモーター５の回転数を事前制御するための目標値ωCMD,Vor ６２を算出６１して、同じく結果として得られるモータートルクＭMot,Cmd ６４を調節するステアリング角制御器６３に供給する。
【００６７】
また、モータートルクＭMot ４８、結果として得られる増幅率
【００６８】
【数１０】
2007500098.tif 000012
【００６９】
５２、ステアリングコラム３の回転角δH １１にもとづき、動力学的な余裕度を計算６７する。正の信号ＤＲ＿ｐｏｓ６８又は負の信号ＤＲ＿ｎｅｇ６９が生成される。
【００７０】
図５は、ステアリング角の目標値を計算するための要素としての、その結果として得られる増幅率
【００７１】
【数１１】
2007500098.tif 000013
【００７２】
５２を求める方法を図示している。その結果として得られるステアリング伝達率
【００７３】
【数１２】
2007500098.tif 000014
【００７４】
５２は、回転角δH １１と車両速度ＶKfz ４６により算出される増幅率Ｋ1 ７０とＫ2 ７１にもとづき得られる。これらの増幅率Ｋ1 ７０とＫ2 ７１は、乗算した形で直列ステアリング伝達率ｉL,Serie と組み合わされる。以下の式が成り立つ。
【００７５】
【数１３】
2007500098.tif 000015
【００７６】
増幅率Ｋ1 （ハンドル角に依存する成分）とＫ2 （車両の速度に依存する成分）は、走行動特性による観点にもとづき、或いはドライバーの設定にもとづき自由に選定することができる。
【００７７】
図６は、ここで考察したステアリング制御器６３の構成要素を図示している。モータートルクＭMot 又はトルクを生成するモーター電流Ｉq の制御及びモーター５の整流（電気的に整流する場合）は、モーター５に組み込まれている。
【００７８】
この場合、ステアリング制御器６３の制御値は、結果として得られる重畳されたステアリング角（ピニオン角）δR １５であり、この角度は、直接測定される。内部制御値として、モーター回転数ωMot ７３を使用しており、これは、測定したモーター角φMot ３５から微分７４により計算することができる。
【００７９】
図６に図示したステアリング角制御器は、その基本構造から縦続接続型制御器である。制御回路の動特性を向上させるために、モーター５の回転数制御に対する目標値ωCMD,Vor ６２を事前制御する。特にステアリング動作が遅い場合に、ステアリングの快適性が、この事前制御によって損なわれることがないようにするために、所望のモーター速度に依存した事前制御値の重み付けを行っている。この場合、図４に図示した事前制御値ωCMD,Vor ６２の計算を、ドライバーの介入（速度事前制御値であるドライバーによるステアリング角６０）により、並びに要求されているＥＳＰ補正角（速度事前制御値であるＥＳＰ補正角４９）により得られる信号成分にもとづき、別々に実施するのが有利である。そして、動特性及び快適性に関する要求に応じて、これら両方の成分を互いに別々に重み付けすることができる。
【００８０】
結果として得られるモータートルクＭMot,cmd ６４の信号を生成するために、ステアリング角制御器６３によって算出された値は、モーター回転数ωMot ７３と事前制御値ωCMD,Vor ６２を考慮７５して、回転数制御器７６に供給される。
【００８１】
図７には、ステアリング角制御器に対するドライバー要求δCMD,DRV ４２を求めるためのベースとしての伝動装置入力信号
【００８２】
【数１４】
2007500098.tif 000016
【００８３】
５３の算出方法が図示されている。この発明では、ＥＳＰによるステアリング角の介入が無い場合、設計上確定する伝達率ν1 とν2 にもとづき、結果として得られるステアリング角δR ＝δSumme （ピニオン角）１５とモーター角φMot ３５に応じて、この値を算出する。
【００８４】
所定の動作状態で、利用可能な回転数よりも大きなモーター回転数が必要となる可能性がある。この場合、モーター５の弱め界磁制御を採用することによって、利用可能なモータートルクを低下させることなく、モーター回転数の必要に応じた短時間の増大を実現することができる。しかしながら、これは、全体的なエネルギー消費を短時間増大させることにも関連する。
【００８５】
特に全く直接的なステアリングの伝達が存在する場合、及びドライバー又は走行動特性制御システムの側からの大きな目標速度の場合が、そのようなことが必要な場合と看做すことができる。
【００８６】
その時点におけるステアリング装置の実際の状態にもとづき、即ち、その時点のモーターの実際の速度とその時点のステアリング角の値が、並びに所望の目標の状態にもとづき、即ち、モーター回転数の設定値とステアリング角の目標値が、ステアリング伝達装置の増幅率にもとづき、弱め界磁制御の採用と弱め界磁電流の大きさが決定される。
【００８７】
モーター５の弱め界磁制御が必要でない場合、結果として得られる弱め界磁電流Ｉd,Sollは零である（Ｉd,Soll＝０Ａ）。
【００８８】
そして、電気整流式モーターのトルク制御器は、トルク生成用の電流Ｉq の他に、更に弱め界磁制御用の電流値Ｉd を調節しなければならない。
【図面の簡単な説明】
【００８９】
【図１】この発明による制御器を備えた重畳ステアリング装置の模式図
【図２】重畳ステアリング装置の制御コンセプト全体のブロック接続図
【図３】走行動特性制御器の介入に関する制御コンセプトのブロック接続図
【図４】ステアリング角制御器の全体像のブロック接続図
【図５】増幅率を算出するためのブロック接続図
【図６】個々のステアリング制御器のブロック接続図
【図７】伝動装置の入力信号を算出するためのブロック接続図
【図１】
2007500098.tif 000021
【図２】
2007500098.tif 000022
【図３】
2007500098.tif 000023
【図４】
2007500098.tif 000024
【図５】
2007500098.tif 000025
【図６】
2007500098.tif 000026
【図７】
2007500098.tif 000027
【国際調査報告】
2007500098.tif 000028
2007500098.tif 000029
2007500098.tif 000030
2007500098.tif 000031
2007500098.tif 000032
2007500098.tif 000033
2007500098.tif 000034
2007500098.tif 000035
2007500098.tif 000036
2007500098.tif 000037